(57)【要約】【課題】  資料を正確な位置に容易に載置可能な資料提示装置を提供する。【解決手段】  資料２が載置される液晶パネル１２と、液晶パネル１２を資料が載置される側とは反対の背面側から照明するバックライトと、液晶パネル１２を透過した光によって裏面側から照明される液晶パネル１２上の資料２を撮影可能なＣＣＤカメラ３と、液晶パネル１２に、資料２の載置位置を示す指示マークを表示するマーク表示手段とを有する。【選択図】  図１
2005117533.tif 000002
【特許請求の範囲】
【請求項１】
資料が載置される液晶パネルと、
前記液晶パネルを前記資料が載置される側とは反対の背面側から照明するバックライトと、
前記液晶パネルを透過した光によって裏面側から照明される前記液晶パネル上の前記資料を撮影可能な撮影手段と、
前記液晶パネルに、前記資料の載置位置を示す指示マークを表示するマーク表示手段と、
を有する資料提示装置。
【請求項２】
資料が載置され、その資料の上から、または、直接に入力手段が接触すると、その入力手段の接触位置の座標を示す座標信号を出力する透光性の座標検出パネルと、
前記座標検出パネルの下に配置された液晶パネルと、
前記液晶パネルの下方に配置され、前記液晶パネルを背面側から照明するバックライトと、
前記座標検出パネルから出力される座標信号に基づいて、前記座標検出パネル上における前記入力手段の移動軌跡を前記液晶パネルに表示する軌跡表示手段と、
前記液晶パネルに、前記資料の載置位置を示す指示マークを表示するマーク表示手段と、
前記液晶パネル及び前記座標検出パネルを透過した光によって裏面側から照明される前記座標検出パネル上の前記資料と、前記液晶パネルに表示された前記移動軌跡の双方を撮影可能な撮影手段と、
を有する資料提示装置。
【請求項３】
前記資料のサイズを入力可能なサイズ入力手段をさらに有し、
前記マーク表示手段は、前記サイズ入力手段によって入力された前記資料のサイズに応じて前記指示マークの表示を変更する請求項１又は請求項２記載の資料提示装置。
【請求項４】
前記液晶パネル上に載置された前記資料のサイズを検出するサイズ検出手段をさらに有し、
前記マーク表示手段は、前記サイズ検出手段によって検出された前記資料のサイズに応じて前記指示マークの表示を変更する請求項１又は請求項２記載の資料提示装置。
【請求項５】
前記撮影手段は焦点距離が可変であり、前記マーク表示手段は、前記撮影手段の焦点距離の変化に応じて、前記指示マークの表示を変更する請求項１乃至請求項４のいずれかに記載の資料提示装置。
【請求項６】
記録媒体に記録されている画像データを読み出すデータ読出し手段と、
前記データ読出し手段によって読み出された画像データに基づいて前記液晶パネルに画像を表示する画像表示手段と、
を有する請求項１乃至請求項５のいずれかに記載の資料提示装置。
【発明の詳細な説明】
【技術分野】
【０００１】
本発明は、書類、サンプル品、見本といった平面的資料や立体的資料を撮影し、その撮影画像をテレビモニタやプロジェクタ等に出力する資料提示装置に関するものである。
【背景技術】
【０００２】
会議、学会、展示会等の会場において用いられる視聴覚装置の１つに、資料台の上に載置された平面的資料や立体的資料（以下、まとめて「資料」と呼ぶ）を撮影し、その撮影画像をデータ化してテレビモニタやプロジェクタに出力する資料提示装置がある。
【０００３】
図８に、従来の一般的な資料提示装置を示す。この資料提示装置は、平坦な資料載置面（ステージ面１００）を有する箱型の資料台１０１と、ステージ面１００の上に載置された資料１０２を照明する投光器１０３と、ステージ面１００の上に載置された資料１０２を撮影するＣＣＤカメラ１０４と、ＣＣＤカメラ１０４から出力される画像信号を処理して画像データを生成する画像処理部（不図示）と、画像処理部によって生成された画像データをテレビモニタやプロジェクタ等の外部機器（図８ではプロジェクタ１０５）に出力するためのビデオ出力ライン１０６と、を備えている。
【０００４】
さらに、資料台の内部にバックライトが設けられ、ステージ面に載置された資料をその裏面側から照明可能とした資料提示装置もある。この種の資料提示装置は、ＯＨＰフィルムやネガフィルムといった透光性の資料にも対応可能である。内部にバックライトが設けられた資料台の異なる例を図９（ａ）、（ｂ）に示す。図９（ａ）に示す資料台１０１は、表面がステージ面１００として機能する乳白色のアクリル板１１０の下方にバックライト１１１が設けられ、バックライト１１１の周囲にはリフレクタ１１２が配置されている。また、アクリル板１１０の裏面には、輝度ムラを軽減するための拡散印刷等が施されている。この種の照明方式は、照明対象である資料の真下から光を照射するため、一般に「直下型方式」と称されている。
【０００５】
一方、図９（ｂ）に示す資料台１０１では、表面がステージ面１００となる透明なアクリル板１１０の下に、ＬＣＤディスプレイ等において多用されているサイドエッジ方式のバックライトユニット１２０が配置されている。このバックライトユニット１２０の基本構造を図１０に示す。バックライトユニット１２０は、反射板１２１、導光板１２２、拡散板１２３及びプリズムシート１２４が順次積層され、導光板１２２の端に光源１２５が配置されたものである。光源１２５から出射した光は導光板１２２の全面に拡散し、反射板１２１その他の作用によってプリズムシート１２４の全面からほぼ均一に発散する。図９（ｂ）に示す資料台１０１では、図１０に示すプリズムシート１２４がアクリル板１１０の裏面に接触するようにバックライトユニット１２０が配置され、バックライトユニット１２０から発散する光がステージ面１００に載置された資料２にその裏面から照射されるようにしてある。以上説明したような従来の資料提示装置は、例えば特許文献１〜特許文献３等により詳しく説明されている。
【特許文献１】特開２００２−９４８３６号公報
【特許文献２】特開平１０−３２７３３号公報
【特許文献３】特開平１１−３１１９５５号公報
【発明の開示】
【発明が解決しようとする課題】
【０００６】
実際に資料提示装置を使用する際には、資料台の上に置いた資料の位置合わせが必要である。そこで、従来は、テレビモニタやプロジェクタを介してスクリーンに映し出された資料の映像を見ながら資料の位置を調整したり、カメラ側に設けられたレーザポインタからステージ面に向けて出力されるレーザ光の照射位置を参考にしてカメラと資料との位置合わせを行なったりしていた。すなわち、従来の資料提示装置は、資料台の上に載置された資料をその表面側又は／及び裏面側から照明する照明手段を備えてはいるが、それら証明手段は資料を照明する機能しか果たさず、資料の位置合わせのためには、実際に表示された映像を見ながら位置合わせを行なうか、レーザポインタ等の位置合わせ用の手段を別途設ける必要があった。しかし、これらの方法によって資料を正確に位置合わせするためには時間や手間が掛かる。特に、会議等の進行中に資料を交換する場合等には、資料の位置合わせに十分な時間を確保することは難しく、資料の正確な位置合わせは現実的には非常に困難であった。
【課題を解決するための手段】
【０００７】
本発明は、上記課題に鑑みてなされたものであり、その目的は上記課題を解決することにある。
【０００８】
上記目的を達成する本発明の資料提示装置は、資料が載置せられる液晶パネルと、液晶パネルを資料が載置される側とは反対の背面側から照明するバックライトと、液晶パネルを透過した光によって裏面側から照明される液晶パネル上の資料を撮影可能な撮影手段と、液晶パネルに、資料の載置位置を示す指示マークを表示するマーク表示手段とを有する。従って、液晶パネルに表示された指示マークに従って資料を載置すれば、資料が所定位置に正確に載置されるとともに、載置された資料は液晶パネルを透過した光によってその裏面側から照明される。
【０００９】
本発明の資料提示装置には、資料が載置され、その資料の上から、または、直接に入力手段が接触すると、その入力手段の接触位置の座標を示す座標信号を出力する透光性の座標検出パネルと、座標検出パネルから出力される座標信号に基づいて、座標検出パネル上における入力手段の移動軌跡を上記液晶パネルに表示する軌跡表示手段とを設けることもできる。この場合、液晶パネルに表示された入力手段の移動軌跡と資料の双方が撮影手段によって撮影される。従って、座標検出パネルに載置された資料の上でその資料のある部分を囲んだり、ある部分に下線を引くように入力手段を移動させれば、その部分が線で囲まれたり、下線が引かれたりした資料の映像がテレビモニタやスクリーン等に映し出される。
【００１０】
本発明の資料提示装置では、資料のサイズに応じて上記指示マークの表示が変更されるようにすることもできる。この場合、サイズが異なる様々な資料を所定位置に正確に載置可能となる。ここで、資料サイズの検出手段については特に制限はない。例えば、操作者によって資料のサイズが入力されてもよく、撮影手段の撮影画像から自動的にサイズが検出されてもよく、センサ等によってサイズが検出されてもよい。
【００１１】
本発明の資料提示装置では、撮影手段の焦点距離を可変とし、撮影手段の焦点距離の変化に応じて上記指示マークの表示が変更されるようにすることもできる。この場合、撮影手段によって資料の全体を撮影したり、一部を拡大して撮影したりすることができ、さらに、撮影手段の焦点距離が変化したとしても、常に好適な位置に資料を載置させることが可能となる。
【００１２】
本発明の資料提示装置には、記録媒体に記録されている画像データを読み出すデータ読出し手段と、そのデータ読出し手段によって読み出された画像データに基づいて液晶パネルに画像を表示する画像表示手段とを設けることもできる。この場合、資料の映像と共に、又は記録媒体に記録されている画像のみをテレビモニタやスクリーン等に映し出すことも可能となる。
【発明の効果】
【００１３】
本発明の資料提示装置によれば、資料が載置される液晶パネルに資料の載置位置を示す指示マークが表示されるので、その指示マークに従って資料を載置すれば、短時間で、かつ正確に資料を所定位置に載置させることができる。さらに、載置された資料は液晶パネルを透過した光によって照明される。また、座標検出パネル上の入力手段の移動軌跡が液晶パネルに表示され、資料とともに撮影されるので、座標表示パネルに載置された資料上で入力手段を移動させれば、資料に文字や図形等を実際に書き込まなくとも、文字や図形等が書き込まれた資料と実質的に同様の映像をテレビモニタやスクリーン等に映し出すことも可能である。
【発明を実施するための最良の形態】
【００１４】
（実施形態１）
以下、本発明の資料提示装置の実施形態の第１例を図１及び図２に基づいて説明する。図１は、本例に示す資料提示装置の外観を示す斜視図である。図２は、図１に示す資料提示装置が備える資料台の構造を示す一部省略の断面図である。図３は、図１に示す資料提示装置の機能ブロック図である。
【００１５】
本例に示す資料提示装置は、図１に示すように、資料台１と、その資料台１の上に載置された資料２を撮影する撮影手段としてのＣＣＤカメラ３と、ＣＣＤカメラ３の撮影画像をテレビモニタやプロジェクタ等の外部機器（図１ではプロジェクタ４）に伝送するためのビデオ出力ライン５を接続可能な外部インタフェイス（不図示）とを有する。
【００１６】
資料台１は、箱型の外観形状を有し、上面１０には矩形の開口部１１（図２）が形成されている。さらに、開口部１１は、該開口部１１に嵌め込まれたＴＦＴ（Thin Film Transistor）方式のカラー液晶パネル１２によって閉塞されており、液晶パネル１２の表面は、資料２が載置されるステージ面として機能している。図２及び図３に示すように、液晶パネル１２は、バックライトユニット１３やＬＣＤドライバ１４及びその他の周辺デバイス（不図示）に加えて、これら各構成要素を統括的に管理するＬＣＤ制御部１５と共にＬＣＤ（Liquid Crystal Display）モジュール２０を構成しており、バックライトユニット１３を構成する不図示の光源（冷陰極蛍光ランプ等）から出射され、液晶パネル１２を透過した光によって、液晶パネル１２の上に載置されている透光性の資料２（ＯＨＰフィルムやネガフィルム等）がその裏面側から照明される。すなわち、ＬＣＤモジュール２０、特に、液晶パネル１２及びバックライトユニット１３は、資料２をその裏面側から照明する直下型の照明手段として機能する。尚、ＬＣＤモジュール２０を構成するバックライトユニット１３は、図１０に示すバックライトユニット１２０と同一構造を有する。また、ＬＣＤモジュール２０を構成するその他の構成要素（液晶パネル１２を含む）は、従来のＬＣＤモジュールと同一構造を有する。従って、これらの詳細に関する説明は省略する。
【００１７】
尚、図２に示すように、開口部１１に嵌め込まれたＬＣＤモジュール２０はＬ字形のブラケット３０によって下方から支持されている。より詳しくは、ブラケット３０は、その一端が開口部１１の裏面周縁に固定され、他端が開口部１１の内側まで突出しており、開口部１１の内側まで突出したブラケット３０の端部の上にＬＣＤモジュール２０が搭載されている。ＬＣＤモジュール２０が搭載されるブラケット３０の端部の高さは、液晶パネル１２の表面が資料台１の上面１０と面一になるように、ＬＣＤモジュール２０の厚みを考慮して設定されている。
【００１８】
再び図１を参照すると、ＣＣＤカメラ３は資料台１の一隅に立設されたアーム４０の先端に下向きに取り付けられ、液晶パネル１２の上に載置された資料２を上方から撮影可能とされている。さらに、資料２を撮影したＣＣＤカメラ３から出力された画像信号（ビデオ信号）は、図３に示す画像処理部４１によって処理され、画像データとして外部インタフェース４２に出力される。尚、アーム４０とＣＣＤカメラ３の双方または一方を可動とし、ＣＣＤカメラ３の視点（資料を撮影する方向）を変更可能とすることもできる。例えば、アーム４０の後端を図１の矢印ａ方向や矢印ｂ方向に回動可能としたり、ＣＣＤカメラ３を矢印ｃ方向や矢印ｄ方向に回動可能としたりすることができる。
【００１９】
図３に示すように、ＣＤＤカメラ３は、少なくとも１つのズームレンズを含むレンズ群（不図示）と、ズームレンズをその光軸方向に進退させてレンズ群の焦点距離を変更させる駆動モータ４３と、その駆動モータ４３を制御するモータ制御部４４とを少なくとも備えており、必要に応じてモータ制御部４４から駆動モータ４３に駆動信号が出力され、駆動モータ４３は入力された駆動信号に従ってズームレンズを進退させる駆動力を発生する。
【００２０】
図１に示すように、資料台１の上面１０には、複数の操作ボタンを含む操作パネル５０が設けられている。操作パネルに設けられている複数の操作ボタンには、「Ａ４」「Ｂ５」「Ａ３」等といった資料２のサイズ毎に設けられた２つ以上のサイズ選択ボタン５１が含まれ、資料２のサイズに対応したサイズ選択ボタン５１が押されると、資料２のサイズを示すサイズ選択信号が図３に示すＬＣＤ制御部１５に入力される。サイズ選択信号が入力されたＬＣＤ制御部１５はＬＣＤドライバ１４を駆動し、液晶パネル１２に資料２の載置位置を示す指示マークとして、載置位置の外延を示す枠の内側に複数本の直線をマトリックス状に表示する。尚、液晶パネル１２に表示される枠の大きさ及び直線の本数、位置、間隔といった指示マークの表示パラメータは、資料２のサイズと関連付けられたデータとして予め記憶部１６に記憶されている。従って、サイズ選択信号が入力されたＬＣＤ制御部１５は、サイズ選択信号に示されている資料２のサイズに基づいて記憶部１６に記憶されている表示パラメータを読み出し、読み出された表示パラメータに従ってＬＣＤドライバ１４を駆動し、液晶パネル１２に指示マークを表示する。すなわち、操作パネル５０に設けられた各サイズ選択ボタン５１は、資料２のサイズを入力するためのサイズ入力手段として機能し、ＬＣＤ制御部１５は、液晶パネル１２に資料２の載置位置を示す指示マークを表示するとともに、その指示マークの表示を資料２のサイズに応じて変更するマーク表示手段としても機能する。
【００２１】
また、操作パネル５０に設けられた複数の操作ボタンには、ＣＣＤカメラ３の焦点距離を調節するためのTELEボタン５２およびWIDEボタン５３が含まれる。そして、TELEボタン５２またはZOOMボタン５３が押されている間、図３に示すモータ制御部４４からは所定間隔でパルス信号が出力される。すると、駆動モータ４３の回転軸が入力されたパルス信号の数に応じた回転量だけ回転し、上記ズームレンズが駆動モータ４３の回転軸の回転量に対応した距離だけ進退して焦点距離が変更される。このとき、モータ制御部４４から出力されるパルス信号はＬＣＤ制御部１５にも入力され、ＬＣＤ制御部１５は入力されたパルス信号に基づいてＣＣＤカメラ３の焦点距離を検出し、検出された焦点距離に応じて指示マークの表示を変更する。例えば、ズームレンズがTELE側に移動して光学系の結像範囲が狭くなるに従って上記枠が次第に小さくなり、その枠の内側に資料２の所望箇所が入るように該資料２をステージ面上で移動させると、結像範囲内に資料２の所望箇所が確実に合わせ込まれる。ここで、資料２が透光性であれば、資料２を透過して上記枠を確認可能であり、枠の内側に資料２の所望箇所が入るように該資料２を移動させることに何ら問題はない。
【００２２】
尚、ＣＣＤカメラ３の焦点距離と指示マークの表示パラメータは関連付けられ、データとして予め記憶部１６に記憶されている。従って、ＬＣＤ制御部１５は入力されたパルス信号に基づいてＣＣＤカメラ３の焦点距離を検出し、検出された焦点距離に対応する表示パラメータを記憶部１６から読み出し、読み出された表示パラメータに従って指示マークを表示する。即ち、ＬＣＤ制御部１５は、ＣＣＤカメラ３の焦点距離に応じて、指示マークの表示を変更するマーク表示手段としても機能する。
【００２３】
尚、ＬＣＤ制御部１５は、コンピュータプログラムに従って上記マーク表示手段として機能し、そのコンピュータプログラムは記憶部１６に記録保持されている。
【００２４】
（実施形態２）
以下、本発明の資料提示装置の実施形態の第２例を図４〜図６に基づいて説明する。図４は、本例に示す資料提示装置が備える資料台１の構造を示す一部省略の拡大断面図である。図５は、本例に示す資料提示装置が備える座標検出パネル６０の構造を示す断面図である。図６は、本例に示す資料提示装置の機能ブロック図である。
【００２５】
本例に示す資料提示装置の基本構成は実施形態１に示す資料提示装置と同一である。異なるのは、図４に示すように、ＬＣＤモジュール２０の液晶パネル１２の上に座標検出パネル６０が積層され、この座標検出パネル６０上における入力手段の移動軌跡が液晶パネル１２に表示される点である。
【００２６】
座標検出パネル６０は、図５に示すように、下側電極部６１が形成された透明な下側絶縁基板６２と、上側電極部６３が形成された透明な上側絶縁基板６４を誘電体層６５を介して対向させたものである。図４に示すように、座標検出パネル６０は、下側絶縁基板６２が液晶パネル１２の表面に対向する向きで液晶パネル１２の上に重ねられている。即ち、本例の資料提示装置では、座標検出パネル６０の表面（上側絶縁基板６４の表面）が、資料２が載置されるステージ面として機能する。よって、ＬＣＤモジュール２０を構成するバックライトユニット１３の光源から出射され、液晶パネル１２及び座標検出パネル６０を透過した光によって、座標検出パネル６０の上に載置されている透光性の資料２がその裏面側から照明される。
【００２７】
また、座標検出パネル６０は、上側絶縁基板６４に入力手段（例えば、図５に示すスタイラスペン６６）を接触させると、接触位置における上側電極部６３と下側電極部６１とが容量結合して座標信号が出力される。出力された座標信号は、図６に示す座標検出部７０に入力され、座量検出部７０からＬＣＤ制御部１５に出力される。座標信号が入力されたＬＣＤ制御部１５は、入力された座標信号に従ってＬＣＤドライバ１４を駆動し、座標検出パネル６０上におけるスタイラスペン６６の移動軌跡を液晶パネル１２に表示する。即ち、この場合、ＬＣＤ制御部１５は、入力手段の移動軌跡を液晶パネル１２に表示する移動軌跡表示手段としても機能する。従って、座標検出パネル６０の上に載置された資料２にスタイラスペン６６を接触させながら移動させると、液晶パネル１２に表示されたスタイラスペン６６の移動軌跡と資料２の双方がＣＣＤカメラ３によって撮影される。この結果、資料２に接触させたスタイラスペン６６をその資料２のある部分を囲むように移動させたり、ある部分に下線を引くように移動させたりすると、テレビモニタやプロジェクタによる投影が行なわれるスクリーン上には、その部分が線で囲まれたり、その部分に下線が引かれたりした資料２の映像が映し出される。
【００２８】
尚、ＬＣＤ制御部１５は、コンピュータプログラムに従って上記移動軌跡表示手段として機能し、そのコンピュータプログラムは記憶部１６に記録保持されている。
【００２９】
（実施形態３）
以下、本発明の資料提示装置の実施形態の他例について説明する。上記実施形態では、指示マークがマトリックス状に表示された直線である場合を説明した。しかし、指示マークは資料の載置位置を示すことが可能でありさえすればよく、形状、寸法、数などには一切制限はない。例えば、図７（ａ）に示すように、資料２の載置位置（図中に鎖線で示す）の四隅を規定すべく、液晶パネル１２に４つの点８０を指示マークとして表示してもよい。もっとも、資料が矩形である場合は、２つの角の位置が規定されれば資料を所定位置に置くことが可能である。従って、点８０を少なくとも２つ表示して、載置位置の異なる２つの角を規定すれば資料２の位置決めとしては十分である。同じく資料が矩形である場合は、異なる２辺の位置を規定することによっても資料を所定位置に置くことが可能となる。従って、図７（ｂ）に示すように、液晶パネル１２にライン８１を少なくとも２本表示して、載置位置の異なる２辺を規定しても資料２の位置決めとしては十分である。さらに、資料が矩形以外の形状である場合には、それぞれの形状に応じて好適な指示マークの形状、数、配置等を選択することができる。この場合、資料の形状を入力するための形状入力手段や、載置された資料の形状を自動認識する形状認識手段等を設けて、資料の形状に応じて予め用意されている２種類以上の指示マークのうちから最適又は好適な指示マークが選択されるようにしてもよい。
【００３０】
上記実施形態では、操作パネルに設けられたサイズ選択ボタンによって資料のサイズを検出する例を説明した。しかし、ＣＣＤカメラの撮影画像から資料のサイズを検出することも可能である。例えば、撮影画像中の輝度分布に基づいて載置されている資料の両端に相当する画素を検出し、それら２つの画素間に存在する画素数をカウントすれば資料のサイズを検出することが可能である。また、資料のサイズを検出するためのセンサを別途設けることもできる。
【００３１】
実施形態上記では、液晶パネルやバックライト等が単一のＬＣＤモジュールとして構成されている場合を説明したが、液晶パネルやバックライト等はそれぞれ独立していてもよい。また、ステージ面を構成する液晶パネル又は座標検出パネルの上に保護用のアクリル板やガラス板を配置することもできる。このように、資料が間接的に載置される液晶パネル又は座標検出パネルも、本発明の資料提示装置を構成する液晶パネル又は座標検出パネルに含まれる。さらに、液晶パネル又は座標検出パネルの上に重ねられる上記アクリル板やガラス板の裏面に拡散印刷等を施しておくと、ＣＣＤカメラの撮影画像中で指示マークがより目立たなくなる。
【００３２】
本発明の資料提示装置には、任意の記録媒体に記録されている画像データを読み出すデータ読出し手段を設け、読み出された画像データに基づいて液晶パネルに画像が表示されるようにすることもできる。この場合、液晶パネルに表示された画像は上記資料の画像と同様に撮影手段によって撮影され、外部機器に出力される。また、図面には平面的な資料のみを図示したが、図示されている資料台１に立体的な資料を載置し、その資料をＣＣＤカメラ３で撮影することもできる。
【００３３】
上記実施形態では、資料が平面的である場合を例にとって本発明の資料提示装置を説明した。しかし、本発明の資料提示装置は立体的な資料にも適用可能である。また、本発明の資料提示装置には、ステージ面に載置された資料をその表面側から照明する照明手段を追加することもできる。例えば、図８に示す投光器１０３のような照明手段を追加することもできる。
【図面の簡単な説明】
【００３４】
【図１】実施形態１で説明する本発明の資料提示装置の外観斜視図である。
【図２】図１に示す資料台の構造を示す一部省略の側面図である。
【図３】図１に示す資料提示装置の機能ブロック図である。
【図４】実施形態２で説明する本発明の資料提示装置が備える資料台の構造を示す一部省略の断面図である。
【図５】図４に示す座標検出パネルの構造を示す一部省略の拡大断面図である。
【図６】実施形態２で説明する本発明の資料提示装置の機能ブロック図である。
【図７】（ａ）（ｂ）は、指示マークの異なる例を示す説明図である。
【図８】従来の資料提示装置の一例を示す外観斜視図である。
【図９】（ａ）（ｂ）は、バックライトを備えた資料台の異なる例を示す一部省略の断面図である。
【図１０】バックライトユニットの構造の一例を示す断面図である。
【符号の説明】
【００３５】
１  資料台
２  資料
３  ＣＣＤカメラ
４  プロジェクタ
５  ビデオ出力ライン
１０  上面
１２  液晶パネル
１３  バックライトユニット
１４  ＬＣＤドライバ
１５  ＬＣＤ制御部
１６  記憶部
２０  ＬＣＤモジュール
３０  ブラケット
４０  アーム
４１  画像処理部
４２  外部インタフェイス
４３  駆動モータ
４４  モータ制御部
５０  操作パネル
５１  サイズ選択ボタン
５２  TELEボタン
５３  ZOOMボタン
６０  座標検出パネル
６１  下側電極部
６２  下側絶縁基板
６３  上側電極部
６４  上側絶縁基板
６５  誘電体層
６６  スタイラスペン
７０  座標検出部
８０  点
８１  ライン
【図１】
2005117533.tif 000003
【図２】
2005117533.tif 000004
【図３】
2005117533.tif 000005
【図４】
2005117533.tif 000006
【図５】
2005117533.tif 000007
【図６】
2005117533.tif 000008
【図７】
2005117533.tif 000009
【図８】
2005117533.tif 000010
【図９】
2005117533.tif 000011
【図１０】
2005117533.tif 000012